(57)【要約】【課題】部品の種類を少なくしてコストダウンを図ることができる折板屋根材を提供する。【解決手段】両端に半山部２、３を備える。これら半山部２、３の間に谷部４、５を介して山部１を備えて形成される折板屋根材Ａに関する。前記両方の半山部２、３の側部２０、３０と前記山部１の両側部１０、１１には、同一形状の取付具６２に係合可能な被係合部１３、１４、２２、３２が形成されている。【選択図】図１
2015038270.tif 000002
【特許請求の範囲】
【請求項１】
両端に半山部を備え、これら半山部の間に谷部を介して山部を備えて形成される折板屋根材であって、前記両方の半山部の側部と前記山部の両側部には、同一形状の取付具に係合可能な被係合部が形成されて成ることを特徴とする折板屋根材。
【請求項２】
前記半山部に形成された前記被係合部と、前記山部に形成された前記被係合部とは、同じ高さに形成されていることを特徴とする請求項１に記載の折板屋根材。
【請求項３】
前記半山部にはハゼ締め部が形成されていることを特徴とする請求項１又は２に記載の折板屋根材。
【発明の詳細な説明】
【技術分野】
【０００１】
本発明は、既存屋根のリフォーム（改修）等に用いられる折板屋根材に関するものである。
【背景技術】
【０００２】
従来より、既存屋根の上に新規屋根材を重ね葺きすることによって、既存屋根のリフォームが行われている。例えば、特許文献１には、折板屋根材を用いて形成される既存屋根の上に、折板屋根材で形成される新規屋根材を重ね葺きする折板屋根のリフォーム構造が記載されている。図６に示すように、新規屋根材５０は、両端に半山部５１、５２を備え、これら半山部５１、５２の間の中央に山部５３を備えて形成されている。半山部５１、５２の先端にはハゼ締め部５４が設けられている。また山部５３の上部の両側部には被係合部５５が形成されている。
【０００３】
そして、新規屋根材５０を用いて既存屋根６０のリフォームを行うにあたっては、次のようにして行う。まず、既存屋根６０の山部６１に取付具６２を設ける。取付具６２には二種類あって、一方の取付具６２ａは係合片８０を備えるものである。もう一方の取付具６２ｂは吊子８１を備えるものである。次に、既存屋根６０の上方に複数の新規屋根材５０を配設する。このとき、新規屋根材５０の山部５３は、その被係合部５５が取付具６２ａの係合片８０に係合されることによって、既存屋根６０と連結される。また、隣接する新規屋根材５０は半山部５１、５２が接続される。すなわち、新規屋根材５０の半山部５１と、他の新規屋根材５０の半山部５２とを隣接して配置し、両方の半山部５１、５２のハゼ締め部５４をハゼ締めにより結合する。このとき、取付具６２ｂの吊子８１もハゼ締め部５４と一緒にハゼ締めする。これにより、新規屋根材５０の半山部５１、５２は取付具６２ｂで既存屋根６０と連結される。
【先行技術文献】
【特許文献】
【０００４】
【特許文献１】特開２００２−３２２７６４号公報
【発明の概要】
【発明が解決しようとする課題】
【０００５】
しかし、上記のリフォーム構造では、二種類の取付具６２ａ、６２ｂを用意しなければならず、部品の多品種化によりコスト高をまねくおそれがあった。
【０００６】
本発明は上記の点に鑑みてなされたものであり、部品の種類を少なくしてコストダウンを図ることができる折板屋根材を提供することを目的とするものである。
【課題を解決するための手段】
【０００７】
本発明に係る折板屋根材Ａは、両端に半山部を備え、これら半山部の間に谷部を介して山部を備えて形成される折板屋根材であって、前記両方の半山部の側部と前記山部の両側部には、同一形状の取付具に係合可能な被係合部が形成されて成ることを特徴とするものである。
【０００８】
本発明にあっては、前記半山部に形成された前記被係合部と、前記山部に形成された前記被係合部とは、同じ高さに形成されていることが好ましい。
【０００９】
本発明にあっては、前記半山部にはハゼ締め部が形成されていることが好ましい。
【発明の効果】
【００１０】
本発明は、同一形状の取付具を用いて施工することができ、部品の種類を少なくしてコストダウンを図ることができるものである。
【図面の簡単な説明】
【００１１】
【図１】本発明の実施の形態の一例を示す斜視図である。
【図２】同上の施工状態を示す断面図である。
【図３】本発明で使用するタイトフレーム及び取付具を示し、（ａ）は平面図、（ｂ）は側面図である。
【図４】本発明で使用する取付具を示し、（ａ）は平面図、（ｂ）は正面図、（ｃ）は側面図である。
【図５】同上の施工状態を示し、（ａ）及び（ｂ）は一部の断面図である。
【図６】従来例を示す分解斜視図である。
【発明を実施するための形態】
【００１２】
以下、本発明を実施するための形態を説明する。
【００１３】
本発明に係る折板屋根材Ａは、亜鉛めっき鋼板や塗装鋼板などの金属板をロール成形などで屈曲加工して形成することができる。折板屋根材Ａは長尺に形成され、長尺方向と直交する方向（働き幅方向）で切断した場合の断面形状は、長尺方向の全長にわたって略一定に形成されている。また折板屋根材Ａは山部１と半山部２、３と谷部４、５とハゼ締め部６、７を備えて形成されている。
【００１４】
図１に示すように、折板屋根材Ａは、働き幅方向において、一方のハゼ締め部（第一ハゼ締め部）６、一方の半山部（第一半山部）２、一方の谷部（第一谷部）４、山部１、他方の谷部（第二谷部）５、他方の半山部（第二半山部）３、他方のハゼ締め部（第二ハゼ締め部）７の順に並んで形成されている。従って、折板屋根材Ａは、両端に第一半山部２と第二半山部３とをそれぞれ備え、第一半山部２と第二半山部３との間の中央に山部１が谷部４、５を介して形成されるものである。折板屋根材Ａを働き幅方向で切断した場合の断面形状は、ハゼ締め部６、７を除いて、左右対称に形成されている。すなわち、折板屋根材Ａの断面形状は、ハゼ締め部６、７を除いて、働き幅方向の中央を通る鉛直線を対称軸Ｇとする線対称となるように形成されている。
【００１５】
山部１は一対の側部１０、１１と頂面部１２とを備えて形成されている。頂面部１２は一方の側部（第一側部）１０と他方の側部（第二側部）１１との上端間にわたって略水平に形成されている。山部１の第一側部１０と第二側部１１とは末広がりに形成されている。すなわち、第一側部１０と第二側部１１とは、互いの間隔が山部１の上部から下部になるに従って徐々に広くなるように形成されている。第一側部１０には被係合部１３が設けられている。また第二側部１１にも被係合部１４が設けられている。
【００１６】
一方の被係合部（第一被係合部）１３は、第一側部１０を上下方向の途中で屈曲して段状部分を形成することにより、折板屋根材Ａの長尺方向の全長にわたって設けることができる。また被係合部１３は第一側部１０の上部の約１／３の位置に形成されている。他の被係合部（第二被係合部）１４も、第二側部１１を上下方向の途中で屈曲して段状部分を形成することにより、折板屋根材Ａの長尺方向の全長にわたって設けることができる。また被係合部１４は第二側部１１の上部の約１／３の位置に形成されている。
【００１７】
第一半山部２は第三側部２０と半頂面部２１とを備えて形成されている。第三側部２０はその断面形状が第二側部１１と同様の断面形状を有している。すなわち、第三側部２０には被係合部（第三被係合部）２２が設けられており、その第三被係合部２２は第三側部２０を上下方向の途中で屈曲して段状部分を形成することにより、折板屋根材Ａの長尺方向の全長にわたって形成されている。また第三被係合部２２は第三側部２０の上部の約１／３の位置に形成されている。半頂面部２１は頂面部１２を対称軸Ｇで二等分したような断面形状を有する。半頂面部２１は第三側部２０の上端から外方（山部１と反対方向）に向けて略水平に突設されている。
【００１８】
第二半山部３は第四側部３０と半頂面部３１とを備えて形成されている。第四側部３０はその断面形状が第一側部１０と同様の断面形状を有している。すなわち、第四側部３０には被係合部（第四被係合部）３２が設けられており、その第四被係合部３２は第四側部３０を上下方向の途中で屈曲して段状部分を形成することにより、折板屋根材Ａの長尺方向の全長にわたって形成されている。また第四被係合部３２は第四側部３０の上部の約１／３の位置に形成されている。半頂面部３１は頂面部１２を対称軸Ｇで二等分したような断面形状を有する。半頂面部３１は第四側部３０の上端から外方（山部１と反対方向）に向けて略水平に突設されている。
【００１９】
第一半山部２及び第二半山部３は山部１を対称軸Ｇで二等分したような断面形状を有する。第一側部１０と第三側部２０とは、互いの間隔が下から上になるに従って徐々に広くなるように形成されている。第二側部１１と第四側部３０とは、互いの間隔が下から上になるに従って徐々に広くなるように形成されている。
【００２０】
第一ハゼ締め部６は半頂面部２１の先端に上方に突出して設けられている。第一ハゼ締め部６は折板屋根材Ａの長手方向の全長にわたって設けられている。第一ハゼ締め部６は下面が開口する断面略コ字状に形成されている。第二ハゼ締め部７は半頂面部３１の先端に上方に突出して設けられている。第二ハゼ締め部７は折板屋根材Ａの長手方向の全長にわたって設けられている。第二ハゼ締め部７は下面が開口する断面略倒Ｌ字状に形成されている。第一ハゼ締め部６と第二ハゼ締め部７とは角ハゼと称されるものであるが、これに限らず、丸ハゼであっても良い。
【００２１】
第一谷部４は第一側部１０と第三側部２０との下端間にわたって略水平に形成されている。第二谷部５は第二側部１１と第四側部３０との下端間にわたって略水平に形成されている。
【００２２】
上記の折板屋根材Ａにおいて、頂面部１２と半頂面部２１と半頂面部３１とは働き幅方向に並ぶように、同じ高さの位置に形成されている。第一谷部４と第二谷部５とは働き幅方向に並ぶように、同じ高さの位置に形成されている。第一被係合部１３と第二被係合部１４と第三被係合部２２と第四被係合部３２とは働き幅方向に並ぶように、同じ高さの位置に形成されている。第一被係合部１３と第二被係合部１４とは働き幅方向において互いに対向して配置されている。
【００２３】
上記のように形成される折板屋根材Ａは、既存屋根６０の上に重ね葺きすることによって、リフォームに使用することができる。図２にリフォーム構造を示す。このリフォーム構造では、既存屋根６０の上面にタイトフレーム６１を配設し、このタイトフレーム６１に取付具６２を設け、この取付具６２に折板屋根材Ａを係止して取り付けるようにしている。既存屋根６０は、例えば、８８ルーフや８８型折板と称される折板を用いた屋根である。この場合、既存屋根６０の表面には、既存屋根６０の傾斜方向と直交する方向において、複数の山部６０ａと谷部６０ｂとが交互に連なって形成されている。
【００２４】
図３に示すように、タイトフレーム６１は金属帯材をプレス加工等することにより形成することができる。タイトフレーム６１はその長手方向において、複数の山部７０、７１、７２と谷部７３、７４とが交互に連なって形成されている。上記の折板屋根材Ａにおける山部１と第一半山部２の間の寸法と、山部１と第二半山部３の間の寸法と、既存屋根６０の隣り合う山部６０ａの間の寸法と、タイトフレーム６１の隣り合う山部７０、７１の間の寸法と、隣り合う山部７１、７２の間の寸法は、略同等に形成されている。尚、タイトフレーム６１は三つ以上の山部を有していても良いし、二つ以上の谷部を有していても良い。山部７０、７１、７２の側部と谷部７３、７４には表裏に貫通する取付孔７５が設けられている。
【００２５】
取付具６２は金属板をプレス加工等することにより形成することができる。図４に示すように、取付具６２は固定部６３と一対の係合部６４とを備えて形成されている。固定部６３は平面視で矩形状に形成されている。固定部６３の平面視における中央部には円盤状の載置部６５が突出して設けられている。係合部６４は固定部６３の両側端部に一つずつ突設されている。係合部６４は固定部６３の側端部から斜め下方に向かって突出して形成されている。係合部６４の裏面と固定部６３の裏面との間の角度は約１２５°に形成することができる。
【００２６】
取付具６２はタイトフレーム６１の山部７０、７１、７２に一つずつ取り付けられる。取付具６２は山部７０、７１、７２の頂面に固定部６３を溶接等で固定して取り付けることができる。このようにしてタイトフレーム６１に取付具６２を取り付けると、山部７０、７１、７２の上部の両方の側方に係合部６４が突出して設けられることになる。また、タイトフレーム６１に取り付けられた総ての取付具６２の係合部６４の先端部は同じ高さの位置に配置される。
【００２７】
取付具６２を設けたタイトフレーム６１は既存屋根６０の表面に取り付けられる。この場合、タイトフレーム６１の山部７０、７１、７２のそれぞれで既存屋根６０の山部６０ａを一つずつ跨ぐようにして配置される。そして、タイトフレーム６１の山部７０、７１、７２と既存屋根６０の山部６０ａとがそれぞれビス等の固定具で連結される。またタイトフレーム６１の谷部７３、７４と既存屋根６０の谷部６０ｂとがそれぞれビス等の固定具で連結される。これらの固定具は取付孔７５から螺入される。
【００２８】
上記の折板屋根材Ａは新規屋根材としてタイトフレーム６１に上から被せて取り付けられる。この場合、折板屋根材Ａはその長手方向が既存屋根６０の傾斜方向と平行になるように配置される。また、タイトフレーム６１の山部７０、７１、７２のうち、中央の山部７１に折板屋根材Ａの山部１が被せられ、山部７１の両側にある山部７０、７２には第一半山部２と第二半山部３とがそれぞれ被せられる。このようにしてタイトフレーム６１に折板屋根材Ａを被せると、図５（ｂ）に示すように、山部７０に設けた取付具６２の山部７１側の係合部６４の下側に第三被係合部２２が嵌り込んで係止される。また、図５（ａ）に示すように、山部７１に設けた取付具６２の一対の係合部６４のそれぞれの下側に第一被係合部１３と第二被係合部１４とが嵌り込んで係止される。さらに山部７２に設けた取付具６２の山部７１側の係合部６４の下側に第四被係合部３２が嵌り込んで係止される。また、頂面部１２、半頂面部２１、３１は載置部６５に載置される。このようにしてタイトフレーム６１と取付具６２と折板屋根材Ａとが連結される。
【００２９】
上記のようにして複数の折板屋根材Ａを既存屋根６０の傾斜方向と直交する方向で並設していく。隣り合う折板屋根材Ａはハゼ接合により接続される。すなわち、折板屋根材Ａの第一半山部２の第一ハゼ締め部６の内側に、隣接する他の折板屋根材Ａの第二半山部３の第二ハゼ締め部７を位置させ、この状態で第一ハゼ締め部６と第二ハゼ締め部７とをハゼ締めする。このようにして第一半山部２と第二半山部３とが連結されると、第一半山部２と第二半山部３とが山部７０、７２から離れにくくなって、第三被係合部２２や第四被係合部３２が係合部６４から外れにくくなり、折板屋根材Ａをタイトフレーム６１に強固に取り付けることができる。
【００３０】
本発明の折板屋根材Ａは、山部１の両側部１０、１１と両方の半山部２、３（第一半山部２と第二半山部３）に、取付具６４に係合可能な同形状の被係合部１３、１４、２２、３２が形成されているため、同一形状の取付具６４を用いて施工が可能となる。従って、山部１と第一半山部２や第二半山部３とをタイトフレーム６１に連結するにあたって、同一種類の取付具６２を用いることができ、異なる形状や異なる種類の取付具を用いる必要が無くなる。よって、部品の種類を少なくしてコストダウンを図ることができるものである。
【符号の説明】
【００３１】
Ａ  折板屋根材
１  山部
２  半山部
３  半山部
４  谷部
５  谷部
６  ハゼ締め部
７  ハゼ締め部
１０  側部
１１  側部
１３  被係合部
１４  被係合部
２０  側部
２２  被係合部
３０  側部
３２  被係合部
６２  取付具
【図１】
2015038270.tif 000003
【図２】
2015038270.tif 000004
【図３】
2015038270.tif 000005
【図４】
2015038270.tif 000006
【図５】
2015038270.tif 000007
【図６】
2015038270.tif 000008